(57)【要約】【課題】いわゆるバンクローテーション方式で運転される水素ステーション、及びその水素ステーションの運転方法に関し、低圧バンクの蓄圧タンクの充填終了時の圧力値が低くなることを防いで、蓄圧タンクの交換回数を少なくするという目標を確実に達成できる水素ステーション、及びその水素ステーションの運転方法を提供する。【解決手段】蓄圧タンクＡ３ａを低圧バンクとして使用する場合には、蓄圧タンクＡ３ａ内の水素を、ＦＣＶの充填タンク（図示ぜず）へ供給できるように、制御部から、電磁開閉弁Ａ１０ａへ開放制御信号を送り、電磁開閉弁Ａ１０ａを開放する。また、それと並行して圧縮機２からも水素をＦＣＶの充填タンクへ供給できるように、制御部から、第一電磁開閉弁６ａと第二電磁開閉弁６ｂへ開放制御信号を送り、第一電磁開閉弁６ａと第二電磁開閉弁６ｂを開放する。【選択図】図３
2020101255.tif 000002
【特許請求の範囲】
【請求項１】
水素を昇圧する昇圧部と、昇圧部で昇圧された水素を蓄圧する蓄圧部と、蓄圧部に蓄圧された水素を充填対象に供給する供給部とを備えて、
前記蓄圧部が、少なくとも３つの蓄圧タンクを備え、そのうち第一の蓄圧タンクが第一蓄圧圧力域で水素を蓄圧して、第二の蓄圧タンクが前記第一蓄圧圧力域よりも低い第二蓄圧圧力域で水素を蓄圧して、第三の蓄圧タンクが前記第二蓄圧圧力域よりも低い第三蓄圧圧力域で水素を蓄圧しており、
前記供給部から最初の充填対象に水素を供給する際には、はじめに前記第二の蓄圧タンクから第二蓄圧圧力域の水素の供給をして、該第二の蓄圧タンクが第三蓄圧圧力域になると、次に前記第一の蓄圧タンクから第一蓄圧圧力域の水素の供給をして、該第一の蓄圧タンクが第二蓄圧圧力域になるまで水素を供給制御し、前記第三の蓄圧タンクに対しては、前記昇圧部で昇圧された水素を第一蓄圧圧力域まで蓄圧するように供給制御して、
前記供給部から次の充填対象に水素を供給する際には、はじめに前記第一の蓄圧タンクから第二蓄圧圧力域の水素の供給をして、該第一の蓄圧タンクが第三蓄圧圧力域になると、次に前記第三の蓄圧タンクから第一蓄圧圧力域の水素の供給をして、該第三の蓄圧タンクが第二蓄圧圧力域になるまで水素を供給制御し、第二の蓄圧タンクに対しては、前記昇圧部で昇圧された水素を第一蓄圧圧力域まで蓄圧するように供給制御する蓄圧部制御手段と、を備えた水素ステーションであって、
前記供給部に対して前記蓄圧部から水素を供給している際には、水素を圧縮する圧縮部からも同時に水素を供給するように制御するアシスト制御手段を備えている
ことを特徴とする水素ステーション。
【請求項２】
前記アシスト制御手段は、前記供給部に対して前記蓄圧部からの水素の供給が終了した後も、該供給部に対して圧縮部からの水素を供給するように制御する
ことを特徴とする請求項１記載の水素ステーション。
【請求項３】
前記圧縮部は、前記水素を昇圧する昇圧部と兼用している
ことを特徴する請求項１又は２記載の水素ステーション。
【請求項４】
水素を昇圧する昇圧部と、昇圧部で昇圧された水素を蓄圧する蓄圧部と、蓄圧部に蓄圧された水素を充填対象に供給する供給部とを備えて、
前記蓄圧部には、少なくとも３つの蓄圧タンクが備えられ、そのうち第一の蓄圧タンクが第一蓄圧圧力域で水素を蓄圧するように設定され、第二の蓄圧タンクが前記第一蓄圧圧力域よりも低い第二蓄圧圧力域で水素を蓄圧するように設定され、第三の蓄圧タンクが前記第二蓄圧圧力域よりも低い第三蓄圧圧力域で水素を蓄圧するように設定されている水素ステーションの運転方法であって、
前記供給部から最初の充填対象に水素を供給する第１水素供給工程では、はじめに前記第二の蓄圧タンクから第二蓄圧圧力域の水素の供給をして、該第二の蓄圧タンクが第三蓄圧圧力域になると、次に前記第一の蓄圧タンクから第一蓄圧圧力域の水素の供給をして、該第一の蓄圧タンクが第二蓄圧圧力域になるまで水素を供給して、前記第三の蓄圧タンクに対しては、前記昇圧部で昇圧された水素を第一蓄圧圧力域まで蓄圧するように供給するように設定して、
前記供給部から次の充填対象に水素を供給する第２水素供給工程では、はじめに前記第一の蓄圧タンクから第二蓄圧圧力域の水素の供給をして、該第一の蓄圧タンクが第三蓄圧圧力域になると、次に前記第三の蓄圧タンクから第一蓄圧圧力域の水素の供給をして、該第三の蓄圧タンクが第二蓄圧圧力域になるまで水素を供給して、第二の蓄圧タンクに対しては、前記昇圧部で昇圧された水素を第一蓄圧圧力域まで蓄圧するように供給するように設定して、
前記第１水素供給工程と前記第２水素供給工程で、前記供給部に対して前記蓄圧部から水素を供給している際に、水素を圧縮する圧縮部からも同時に、前記供給部に対して水素を供給するようにした
ことを特徴とする水素ステーションの運転方法。
【請求項５】
前記供給部に対して前記蓄圧部から水素を供給が終了した後も、該供給部に対して圧縮部からの水素を供給する
ことを特徴とする請求項４記載の水素ステーションの運転方法。
【請求項６】
前記圧縮部は、前記昇圧部と兼用されて、前記供給部に水素を供給する
ことを特徴とする請求項４又は５記載の水素ステーションの運転方法。
【発明の詳細な説明】
【技術分野】
【０００１】
本発明は、例えば、燃料電池自動車等の充填対象に水素を供給する水素ステーション、及びその水素ステーションの運転方法に関するものである。
【背景技術】
【０００２】
従来より、例えば、燃料電池自動車等の充填対象に水素を供給する水素ステーションにおいては、水素を昇圧する昇圧部と、その昇圧された水素を蓄圧する蓄圧部と、その蓄圧部等に蓄圧された水素を充填対象に供給する供給部と、を備えている。
【０００３】
こうした水素ステーションの普及を図るためには、水素ステーションの管理維持コストを低減する必要がある。そして、この管理維持コストとして大きなものとして、水素を蓄圧する蓄圧部で使用される蓄圧器たる蓄圧タンクの交換費用がある。そこで、蓄圧タンクの交換回数をできるだけ少なくすることが求められる。
【０００４】
この蓄圧タンクには、耐久性から使用可能な蓄圧サイクルの総数に上限値が設定されており、この蓄圧サイクルの総数が上限値を超える前に交換しなければならない。こうしたことから、交換回数を少なくするため、この蓄圧サイクルの総数をいかに少なくするかが問題となる。
【０００５】
この問題に対して、下記特許文献１においては、複数の蓄圧タンクを準備して、その蓄圧タンクの供給時の圧力変化の幅に差を設けて、例えば、４つの蓄圧タンクに、低圧バンク、中圧バンク、高圧バンク、さらに圧力回復（・待機）バンク、という４つの役割を持たせて、供給回ごとに、その蓄圧タンクの役割を順に変更していく、いわゆる「バンクローテーション」方式という運転方法で、水素ステーションを運転する技術が提案されている。
【０００６】
この特許文献１のように「バンクローテーション」方式で水素ステーションを運転すると、例えば、各蓄圧タンクに４つの役割を持たせた場合、各蓄圧タンクの蓄圧する回数が、４回の供給回毎に１回の蓄圧（圧力回復）をするだけで良いため、供給回毎に全ての蓄圧タンクを蓄圧する場合に比較して、蓄圧サイクルの総数を１／４にすることができる。このため、この「バンクローテーション」方式で運転すると、蓄圧タンクの交換費用を削減でき、水素ステーションの管理維持コストを低減することができる。
【先行技術文献】
【特許文献】
【０００７】
【特許文献１】特開２０１６−８４９０２号公報
【発明の概要】
【発明が解決しようとする課題】
【０００８】
ところで、この「バンクローテーション」方式で水素ステーションを運転する場合には、通常、低圧バンクの役割を持った蓄圧タンクから順番に、燃料電池自動車等の充填対象側のタンク（以下、充填タンク）に水素を供給して行くが、このときの水素の供給は、いわゆる「差圧充填」で行われる。
【０００９】
この「差圧充填」とは、蓄圧タンクと充填タンクとの圧力差を利用して水素を供給して、蓄圧タンクと充填タンクとの間で圧力が均衡すると、水素の供給を終了するという水素の充填方法である。
【００１０】
例えば、仮に、蓄圧タンクと充填タンクの容量が同じであるとして、充填前、蓄圧タンクが１００ＭＰａで充填タンクが０ＭＰａの場合、蓄圧タンクも充填タンクも共に約５０ＭＰａで圧力が均衡して、水素の供給（充填）が終了することになる。また、蓄圧タンクが６０ＭＰａで、充填タンクが０ＭＰａの場合には、蓄圧タンクも充填タンクも共に約３０ＭＰａで圧力が均衡して、水素の供給（充填）が終了することになる。こうした圧力差を利用して水素を供給する充填方法が「差圧充填」である。
【００１１】
そして、こうした差圧充填で水素を供給すると、上記のように、充填前の蓄圧タンクの圧力値が低い方が、圧力が均衡して水素充填が終了するときの圧力値が低くなるという現象が生じる。
【００１２】
こうしたことから、差圧充填によって「バンクローテーション」方式で水素ステーションを運転すると、新たな問題が生じることになる。それは、「バンクローテーション」方式では、低圧バンクの蓄圧タンクの圧力値が通常の蓄圧タンクの圧力値よりも低いことから、充填終了後の圧力値が通常の蓄圧タンクの圧力値よりも低くなってしまうという問題である。
【００１３】
このように、低圧バンクの蓄圧タンクの充填終了時の圧力値が低くなってしまうと、その後、圧力回復バンクとして蓄圧タンクに水素を昇圧して蓄圧する場合、圧力回復する際の昇圧する圧力値（最大圧力値）までの圧力差、すなわち「圧力変動の幅（圧力振幅）」が、従来よりも大きくなってしまい、蓄圧タンクのいわゆるＳ−Ｎ線図（応力−繰返し数線図）の繰り返し回数の回数を低下させてしまうという新たな問題を招来してしまうのである。
【００１４】
すなわち、「バンクローテーション」方式によって、蓄圧サイクルの総数を、少なくしたにも関わらず、「圧力変動の幅（圧力振幅）」が、従来の方式に比べて大きくなってしまうため、結果的に、蓄圧タンクに大きな負担を与えることになり、蓄圧タンクのＳ−Ｎ線図の繰り返し回数の回数を低下させてしまい、バンクローテーション方式の蓄圧タンクの交換回数を少なくするという目標を、充分に果たせない可能性があるのである。
【００１５】
実際、蓄圧タンクの設計を行なう場合、設計の前提とした圧力変動の幅（圧力振幅）の範囲内に、実際の圧力変動の幅が入っていれば、圧力変動の幅（圧力振幅）が大きかったとしても、蓄圧タンクの交換回数を変える必要はない。しかし、「バンクローテーション」方式では、前述のように、蓄圧タンクの圧力変動の幅（圧力振幅）がかなり大きくなってしまうので、設計の前提とした圧力変動の幅を超過してしまう可能性がある。このように、設計の前提とした圧力変動の幅が大きくなると、蓄圧タンクの交換回数を増やす必要が生じたり、また、疲労性能を高めた高価な蓄圧タンクを準備しなければならないという問題も生じ得る。
【００１６】
本発明は、斯かる点に鑑みてなされたもので、その目的は、いわゆるバンクローテーション方式で運転される水素ステーション、及びその水素ステーションの運転方法に関し、低圧バンクの蓄圧タンクの充填終了時の圧力値が低くなることを防いで、蓄圧タンクの交換回数を少なくするという目標を確実に達成できる水素ステーション、及びその水素ステーションの運転方法を提供することにある。
【課題を解決するための手段】
【００１７】
その目的を達成するために、この発明では、いわゆるバンクローテーション方式で運転される水素ステーション及びその水素ステーションの運転方法であって、水素の供給をバンクローテンション方式で運転される蓄圧タンクだけではなくて、同時に、水素を圧縮する圧縮機からも行うようにすることで、低圧バンクの蓄圧タンクの充填終了時の圧力値が低くなることを防いでいる。
【００１８】
具体的に第１の発明では、水素を昇圧する昇圧部と、昇圧部で昇圧された水素を蓄圧する蓄圧部と、蓄圧部に蓄圧された水素を充填対象に供給する供給部とを備えて、前記蓄圧部が、少なくとも３つの蓄圧タンクを備え、そのうち第一の蓄圧タンクが第一蓄圧圧力域で水素を蓄圧して、第二の蓄圧タンクが前記第一蓄圧圧力域よりも低い第二蓄圧圧力域で水素を蓄圧して、第三の蓄圧タンクが前記第二蓄圧圧力域よりも低い第三蓄圧圧力域で水素を蓄圧しており、前記供給部から最初の充填対象に水素を供給する際には、はじめに前記第二の蓄圧タンクから第二蓄圧圧力域の水素の供給をして、該第二の蓄圧タンクが第三蓄圧圧力域になると、次に前記第一の蓄圧タンクから第一蓄圧圧力域の水素の供給をして、該第一の蓄圧タンクが第二蓄圧圧力域になるまで水素を供給制御し、前記第三の蓄圧タンクに対しては、前記昇圧部で昇圧された水素を第一蓄圧圧力域まで蓄圧するように供給制御して、前記供給部から次の充填対象に水素を供給する際には、はじめに前記第一の蓄圧タンクから第二蓄圧圧力域の水素の供給をして、該第一の蓄圧タンクが第三蓄圧圧力域になると、次に前記第三の蓄圧タンクから第一蓄圧圧力域の水素の供給をして、該第三の蓄圧タンクが第二蓄圧圧力域になるまで水素を供給制御し、第二の蓄圧タンクに対しては、前記昇圧部で昇圧された水素を第一蓄圧圧力域まで蓄圧するように供給制御する蓄圧部制御手段と、を備えた水素ステーションであって、前記供給部に対して前記蓄圧部から水素を供給している際に、該供給部に対して水素を圧縮する圧縮部からも同時に水素を供給するように制御するアシスト制御手段を備えているものである。
【００１９】
この構成によれば、蓄圧部制御手段によって、少なくとも３つの蓄圧タンクが、第一の蓄圧タンク、第二の蓄圧タンク、第三の蓄圧タンクとして、充填対象ごとに順番に蓄圧圧力域を変化させて、供給部から充填対象に水素を供給することで、複数の蓄圧タンクがいわゆるバンクローテンション方式で運転されることになる。そして、同じ供給部に対して水素を圧縮する圧縮部からも同時に水素を供給されることで、供給部には、水素がアシスト供給されることになる。
【００２０】
このため、蓄圧タンクからだけではなく、圧縮部からも同時に、充填対象に水素が供給されるため、充填対象には蓄圧タンクからだけよりも多くの水素が供給されることになり、差圧充填した際のタンク圧力が均衡する圧力値（充填終了時の圧力値）を、蓄圧タンクから水素を供給するだけの場合よりも、高くすることができる。
【００２１】
よって、バンクローテンション方式によると低下してしまう、低圧バンクの蓄圧タンクの充填終了時の圧力値を、できるだけ高くすることができる。
【００２２】
なお、蓄圧タンクの数については、３つ以上であれば、４つであっても、５つであっても良く、各蓄圧タンクが、ローテーションで役割を変化させるものであれば、特に限定するものではない。
【００２３】
さらに、アシスト制御手段で制御される水素を圧縮する圧縮部については、このアシスト制御のためだけに水素を圧縮するようにしても良いし、他の機能のために水素を圧縮するように構成してもよい。
【００２４】
また、水素を充填する充填対象については燃料電池自動車が考えられるが、その他、水素を燃料とする燃焼器具や線路を走行する軌道走行車等であってもよい。
【００２５】
第２の発明では、前記アシスト制御手段は、前記供給部に対して前記蓄圧部からの水素の供給が終了した後も、該供給部に対して圧縮部からの水素を供給するように制御しているものである。
【００２６】
この構成によれば、蓄圧部からの水素の供給が終了した後も、圧縮部からの水素が供給されるため、蓄圧部で蓄圧タンクの最大圧力値をさほど高めることなく、充填対象に対して高い圧力の水素を供給することができる。
【００２７】
このため、蓄圧タンクの最大圧力値を高くする必要がなく、圧力変動の幅（圧力振幅）をより小さくすることができる。
【００２８】
よって、蓄圧タンクの圧力振幅をより小さくすることで、蓄圧タンクの負担を小さくすることができ、蓄圧タンクの耐久性をより高めることができる。
【００２９】
第３の発明では、前記圧縮部は、前記水素を昇圧する昇圧部と兼用するようにしているものである。
【００３０】
この構成によれば、水素を圧縮する圧縮部と水素を昇圧する昇圧部とを、一つの圧縮手段（圧縮機）で兼用することにより、別々に設定するよりも、設備コストを削減できる。
【００３１】
よって、水素ステーションを、設置維持管理する際のコストをさらに低減することができる。
【００３２】
第４の発明では、水素を昇圧する昇圧部と、昇圧部で昇圧された水素を蓄圧する蓄圧部と、蓄圧部に蓄圧された水素を充填対象に供給する供給部とを備えて、前記蓄圧部には、少なくとも３つの蓄圧タンクが備えられ、そのうち第一の蓄圧タンクが第一蓄圧圧力域で水素を蓄圧するように設定され、第二の蓄圧タンクが前記第一蓄圧圧力域よりも低い第二蓄圧圧力域で水素を蓄圧するように設定され、第三の蓄圧タンクが前記第二蓄圧圧力域よりも低い第三蓄圧圧力域で水素を蓄圧するように設定されている水素ステーションの運転方法であって、前記供給部から最初の充填対象に水素を供給する第１水素供給工程では、はじめに前記第二の蓄圧タンクから第二蓄圧圧力域の水素の供給をして、該第二の蓄圧タンクが第三蓄圧圧力域になると、次に前記第一の蓄圧タンクから第一蓄圧圧力域の水素の供給をして、該第一の蓄圧タンクが第二蓄圧圧力域になるまで水素を供給して、前記第三の蓄圧タンクに対しては、前記昇圧部で昇圧された水素を第一蓄圧圧力域まで蓄圧するように供給するように設定して、前記供給部から次の充填対象に水素を供給する第２水素供給工程では、はじめに前記第一の蓄圧タンクから第二蓄圧圧力域の水素の供給をして、該第一の蓄圧タンクが第三蓄圧圧力域になると、次に前記第三の蓄圧タンクから第一蓄圧圧力域の水素の供給をして、該第三の蓄圧タンクが第二蓄圧圧力域になるまで水素を供給して、第二の蓄圧タンクに対しては、前記昇圧部で昇圧された水素を第一蓄圧圧力域まで蓄圧するように供給するように設定して、前記第１水素供給工程と前記第２水素供給工程で、前記供給部に対して前記蓄圧部から水素を供給している際に、水素を圧縮する圧縮部からも同時に、前記供給部に対して水素を供給する運転方法である。
【００３３】
この構成によれば、第１水素供給工程と第２水素供給工程とで、少なくとも３つの蓄圧タンクが、第一の蓄圧タンク、第二の蓄圧タンク、第三の蓄圧タンクとして、充填対象ごとに順番に蓄圧圧力域を変化させて、供給部から充填対象に水素を供給することで、複数の蓄圧タンクがいわゆるバンクローテンション方式で運転されることになる。そして、同じ供給部に対して水素を圧縮する圧縮部からも同時に水素を供給されることで、供給部には、水素がアシスト供給されることになる。
【００３４】
このため、蓄圧タンクからだけではなく、圧縮部からも同時に、充填対象に水素が供給されるため、充填対象には蓄圧タンクからだけよりも多くの水素が供給されることになり、差圧充填した際のタンク圧力が均衡する圧力値（充填終了時の圧力値）を、蓄圧タンクから水素を供給するだけの場合よりも、高くすることができる。
【００３５】
よって、バンクローテンション方式によると低下してしまう、低圧バンクの蓄圧タンクの充填終了時の圧力値を、できるだけ高くすることができる。
【００３６】
第５の発明では、前記供給部に対して前記蓄圧部から水素を供給が終了した後も、該供給部に対して圧縮部からの水素を供給する運転方法である。
【００３７】
この構成によれば、蓄圧部からの水素の供給が終了した後も、圧縮部からの水素が供給されるため、蓄圧部で蓄圧タンクの最大圧力値をさほど高めることなく、充填対象に対して高い圧力の水素を供給することができる。
【００３８】
このため、蓄圧タンクの最大圧力値を高くする必要がなく、圧力変動の幅（圧力振幅）をより小さくすることができる。
【００３９】
よって、蓄圧タンクの圧力振幅をより小さくすることで、蓄圧タンクの負担を小さくすることができ、蓄圧タンクの耐久性をより高めることができる。
【００４０】
第６の発明では、前記圧縮部は、前記昇圧部と兼用されて、前記供給部に水素を供給する運転方法である。
【００４１】
この構成によれば、圧縮部が昇圧部と兼用されて、供給部に水素を供給するため、別途、のアシスト供給のための圧縮手段を設定しなくても良いため、設備コストを削減できる。
【００４２】
よって、水素ステーションを、設置維持管理する際のコストをさらに低減することができる。
【発明の効果】
【００４３】
以上説明したように、本発明によれば、蓄圧タンクからだけではなく、圧縮部からも同時に、充填対象に水素が供給されるため、充填対象には蓄圧タンクからだけよりも多くの水素が供給されることになり、差圧充填した際のタンク圧力が均衡する圧力値（充填終了時の圧力値）を、蓄圧タンクから水素を供給するだけの場合よりも、高くすることができる。
【００４４】
よって、いわゆるバンクローテーション方式で運転される水素ステーション、及びその水素ステーションの運転方法に関し、低圧バンクの蓄圧タンクの充填終了後の圧力値が低くなることを防いで、蓄圧タンクの交換回数を少なくするという目標を確実に達成することができる。
【図面の簡単な説明】
【００４５】
【図１】本発明の実施形態１に係る水素ステーションの全体構成を示すシステム構成図である。
【図２】実施形態１に係る水素ステーションの運転状態を説明するフローチャートである。
【図３】バンクローテーション方式の低圧バンク工程の概略図である。
【図４】バンクローテーション方式の中圧バンク工程の概略図である。
【図５】バンクローテーション方式の高圧バンク工程の概略図である。
【図６】バンクローテーション方式の直充填工程の概略図である。
【図７】バンクローテーション方式の昇圧回復工程の概略図である。
【図８】ＦＣＶごとにバンクの役割が変化するバンクローテーション方式の表である。
【図９】従来方式とバンクローテーション方式を比較する圧力変化のタイムチャートである。
【図１０】本発明の方式の効果を説明する圧力変化のタイムチャートである。
【発明を実施するための形態】
【００４６】
以下、本発明の実施形態を、図面に基づいて詳細に説明する。以下の好ましい実施形態の説明は、本質的に例示に過ぎず、本発明、その適用物、或いはその用途を制限することを意図するものではない。
【００４７】
（実施形態１）
まず、図１を使って、本実施形態１の水素ステーションの全体構成について説明する。
【００４８】
本実施形態の水素ステーションＰは、図１のシステム構成図に示すように、内部に大量の水素を保有する保有部であるカードル１と、カードル１から取り出した水素を昇圧する昇圧部である圧縮機２と、その昇圧された水素を蓄圧する蓄圧部である複数の蓄圧タンク３と、その蓄圧タンク３で蓄圧された水素を充填対象である燃料電池自動車、いわゆるＦＣＶ（Ｆｕｅｌ  Ｃｅｌｌ  Ｖｅｈｉｃｌｅ）に供給する供給部であるディスペンサー４とを備えている。
【００４９】
そして、これらの構成部位は、それぞれ水素供給ライン５で接続されており、各水素供給ラインの途中に各電磁開閉弁６と各減圧弁７が設けられている。そして、これらの構成部位が適切に運転されるように各電磁開閉弁等を制御する制御部８が設けられている。
【００５０】
この制御部８には、詳細には図示しないが、各種情報を取り込む情報入力部と、各種制御プログラムを記憶する記憶部と、取り込んだ情報を制御プログラムで演算する演算部と、演算部で得られた各制御信号を出力する出力部とを備えている。
【００５１】
前記カードル１は、周知の容器で構成されており、内部に大量の水素を保有している。そして、このカードル１内部の圧力は、例えば約２０ＭＰａに設定されている。このカードル１の下流の第一水素供給ライン５ａには、第一電磁開閉弁６ａと第一減圧弁７ａが設置されており、このうち、第一電磁開閉弁６ａを制御部８からの開放信号によって開放することで、カードル１から下流に水素が取り出される。
【００５２】
前記圧縮機２は、周知の圧縮ポンプ２０で構成されており、例えば、約３４０Ｎｍ３／ｈの圧縮性能を有する圧縮ポンプ２０で構成される。この圧縮機２によって、カードル１から取り出された水素は昇圧されて、高圧の水素が圧縮機２の下流の第二水素供給ライン５ｂに流される。そして、この第二水素供給ライン５ｂには、さらに第二電磁開閉弁６ｂと第二減圧弁７ｂが設置されており、このうち第二電磁開閉弁６ｂが制御部８からの開閉信号で開閉するように構成されている。
【００５３】
前記複数の蓄圧タンク３ａ〜３ｄは、それぞれ同じタンクで構成されており、例えば、ライナーを金属材料で構成してＦＲＰ材料で補強した複合蓄圧タンクで構成され、最高圧力が約８２ＭＰａ、容量が約３００リットルのタンク３ａ〜３ｄの４つで構成される。これら４つの蓄圧タンク３ａ〜３ｄは、例えば、上から蓄圧タンクＡ３ａ、蓄圧タンクＢ３ｂ、蓄圧タンクＣ３ｃ、蓄圧タンクＤ３ｄとして定義されて、それぞれの蓄圧タンク３ａ〜３ｄには、昇圧された水素が蓄圧されるように構成されている。
【００５４】
そして、これらの蓄圧タンク３ａ〜３ｄは、圧力変化の変化幅を、例えば、８２ＭＰａから４５ＭＰａの範囲に設定されており、内部に蓄圧される水素の量によって、その圧力値が決まるようになっている。
【００５５】
本実施形態のこれら複数の蓄圧タンク３ａ〜３ｄは、各蓄圧タンクごとに、圧力値が異なるように制御されており、その圧力値も、充填対象の車ごとに変化する、いわゆる「バンクローテーション」方式で運転される。
【００５６】
この「バンクローテーション」方式とは、複数の蓄圧タンク、例えば、４つの蓄圧タンク３ａ〜３ｄを準備して、その蓄圧タンクごとに、供給のスタート時点の圧力値に差を設けて、各蓄圧タンク３ａ〜３ｄに、低圧バンク、中圧バンク、高圧バンク、さらに回復・待機バンク、というそれぞれの役割を持たせて、その役割を供給回ごと（充填対象のＦＣＶごと）に順に変更していく、という、水素ステーションＰの運転方法である。
【００５７】
この運転方法によると、例えば、４つの蓄圧タンク３ａ〜３ｄに４つの役割を持たせた場合には、各蓄圧タンク３ａ〜３ｄの昇圧する回数は、４回の供給回毎に１回の昇圧（圧力回復）だけで良いため、蓄圧サイクルの総数を少なくできるという効果が得られる。
【００５８】
なお、この「バンクローテーション」方式の具体的な運転方法については、後述する。
【００５９】
前記複数の蓄圧タンク３ａ〜３ｄの一端には、各々水素を供給排出する分岐水素供給ライン９ａ〜９ｄが接続されており、この分岐水素供給ライン９ａ〜９ｄには各電磁開閉弁１０ａ〜１０ｄと各減圧弁１１ａ〜１１ｄが設けられている。例えば、上から、分岐水素供給ラインＡ９ａには、電磁開閉弁Ａ１０ａと減圧弁Ａ１１ａが設けられて、分岐水素供給ラインＢ９ｂには、電磁開閉弁Ｂ１０ｂと減圧弁Ｂ１１ｂが設けられて、分岐水素供給ラインＣ９ｃには、電磁開閉弁Ｃ１０ｃと減圧弁Ｃ１１ｃが設けられて、分岐水素供給ラインＤ９ｄには、電磁開閉弁Ｄ１０ｄと減圧弁Ｄ１１ｄが設けられている。
【００６０】
このうち、電磁開閉弁Ａ１０ａ〜電磁開閉弁Ｄ１０ｄは、制御部８から開閉制御信号によって開閉制御することにより、分岐水素供給ラインＡ９ａ〜分岐水素供給ラインＤ９ｄから蓄圧タンクＡ３ａ〜蓄圧タンクＤ３ｄに対して、水素を供給・排出できるように構成されている。
【００６１】
なお、この分岐水素供給ラインＡ１０ａ〜分岐水素供給ラインＤ１０ｄについては、それぞれ、供給用ラインと排出用ラインを別々設けて、それぞれのラインに、電磁開閉弁１０と減圧弁１１を設けるように構成してもよい。そのように構成した場合には、より緻密に水素の供給・排出制御を行なうことができる。
【００６２】
前記ディスペンサー４は、前述の複数の蓄圧タンク３ａ〜３ｄ等から水素の供給を受けて、充填対象であるＦＣＶに水素を充填するように構成されている。
【００６３】
具体的には、このディスペンサー４の上流に、複数の分岐水素供給ライン９ａ〜９ｄと第二水素供給ライン５ｂとを纏めるメイン水素供給ライン１２が設けられ、このメイン水素供給ライン１２から水素の供給を受けるように、メイン水素供給ライン１２の中間位置に接続される第三水素供給ライン５ｃが設けられている。
【００６４】
そして、前述のディスペンサー４には、ＦＣＶに接続される水素供給ホース１３が設けられている。この水素供給ホース１３の先端には、図示しないカプラを設けて、このカプラを介してＦＣＶに水素供給ホース１３を接続するようにしている。なお、このディスペンサー４には、図示しないものの、流量制御弁等を設けてＦＣＶに供給する水素の流量や流速等を制御するようにしている。
【００６５】
また、ディスペンサー４には、図示しないが、ＦＣＶ側の情報を検出する情報検出手段と、ＦＣＶとの情報交換を行なう情報通信手段等が設けられている。
【００６６】
この情報検出手段と情報通信手段等で得られたＦＣＶ側の情報は、前記制御部８に通信回線等を介して送信される。そして、このＦＣＶ側の情報は、制御部８で後述する水素ステーションＰの運転制御に用いられる。
【００６７】
また、この制御部８には、図示はしないが、様々な部位や場所に設置されたセンサ等の検出手段からの検出情報が、多数入力されるように構成されている。
【００６８】
次に、このように構成される水素ステーションＰの運転方法について、図２の水素ステーションの運転制御フローチャートによって説明する。
【００６９】
まず、Ｓ１で、ディスペンサー４に充填対象であるＦＣＶを接続する。この接続は、水素供給ホース１３の先端をＦＣＶに接続して行なう。次に、Ｓ２で、ＦＣＶから車両情報を検出する。例えば、ＦＣＶの充填タンク（図示せず）のタンク容量やタンクの最高充填圧力、またタンクの種別等を検出する。また、同時に、現在の外部環境状況も検出する。例えば、外部圧力（大気圧）や、外気温等を検出する。
【００７０】
そして、Ｓ３で、予め少量の水素をＦＣＶの充填タンクに充填（噴射）する、いわゆるプレショット充填を行なう。このプレショット充填を行なうことで、現在のＦＣＶの充填タンクの圧力及び内容量を検出する。
【００７１】
その後、Ｓ４で、現在のＦＣＶの充填タンクの圧力が所定値以下か、又は上限基準値以上かを判断する。この判断によって、今から充填するＦＣＶの充填タンクが、充填に耐えうる適正な圧力状態かを判断する。すなわち、圧力が所定値以下の場合は、充填タンクが破損してタンク内部に高圧な水素を充填できないことが考えられる。又、圧力が上限基準値以上の場合は、充填タンクには既に高圧の水素が入っているため、これ以上の水素を充填できないことが考えられる。こうしたことから、水素を充填する前にこれらの判断を行なうのである。
【００７２】
そして、このＳ４で、ＹＥＳの判断がされた場合には、Ｓ５に移行して、水素の供給を中止する。具体的には、水素の供給を行わないようにする。そして、ディスペンサー４の表示部には、警告表示等を行い、作業者等に水素を供給できないことを認識させる。そして、その後は、そのまま、Ｓ５０のリターンに移行して、制御は終了する。
【００７３】
一方、Ｓ４で、ＮＯの判断がされた場合には、Ｓ６に移行して、ＦＣＶの充填タンクの圧力が低圧バンクの圧力以下かを判断する。これは仮に、ＦＶＣの充填タンクの圧力が低圧バンクの圧力よりも高い場合には、差圧充填で水素を充填する際、低圧バンクから充填タンクに水素を供給できないため、予め、低圧バンクの圧力よりも充填バンクの圧力が低いかどうかを判断するのである。例えば、低圧バンクの圧力値が６３ＭＰａであれば、その６３ＭＰａよりＦＣＶの充填バンクの圧力値が低いか否かを判断する。
【００７４】
Ｓ６でＹＥＳと判断された場合は、Ｓ７に移行する。Ｓ７では、低圧バンクと圧縮機２の併用充填が行なわれる。この低圧バンクと圧縮機２の併用充填とは、低圧バンクに蓄圧された水素と、圧縮機２で圧縮された水素を、同時にＦＶＣの充填タンクに充填する方法である。この低圧バンクと圧縮機の併用充填の詳細については、後述する。
【００７５】
その後、Ｓ８で、ＦＣＶの充填タンクの圧力と外気温から決まる第一目標圧力まで低圧バンクで充填する。この第一目標圧力は、低圧バンクの圧力値よりも低い値で設定される。例えば、低圧バンクの圧力値が６３ＭＰａのときに４５ＭＰａに第一目標圧力が設定される。この第一目標圧力まで水素を充填すると、低圧バンクの圧力では、ＦＣＶの充填タンクの圧力と均衡して、水素を供給できなくなるため、低圧バンクによる充填を終了する。
【００７６】
なお、この第一目標圧力に替えて、目標圧力上昇率（時間当たりの圧力上昇量）を所定の標準テーブルから算出して、その目標圧力上昇率の変動許容範囲内で、充填タンクの圧力が上昇するか否かを検出して、圧力上昇が鈍化して変動許容範囲を下回るような状態になった場合には、その直前で、低圧バンクによる充填を終了しても良い。
【００７７】
そして、その後、Ｓ９に移行する。またＳ６でＮＯと判断された場合、すなわち、ＦＣＶの充填バンクの圧力が低圧バンクの圧力よりも高いと判断された場合も、Ｓ９に移行する。
【００７８】
Ｓ９では、中圧バンクと圧縮機２の併用充填が行なわれる。この中圧バンクと圧縮機２の併用充填とは、中圧バンクに蓄圧された水素と、圧縮機２で圧縮された水素を、同時にＦＶＣの充填タンクに充填する方法である。この中圧バンクと圧縮機２の併用充填の詳細についても、後述する。
【００７９】
その後、Ｓ１０で、ＦＣＶの充填タンクの圧力と外気温から決まる第二目標圧力まで中圧バンクで充填する。この第二目標圧力は、中圧バンクの圧力値よりも低い値で設定される。例えば、中圧バンクの圧力値が７２ＭＰａのときに、６３ＭＰａに第二目標圧力が設定される。この第二目標圧力まで水素を充填すると、中圧バンクの圧力では、ＦＣＶの充填タンクの圧力と均衡して、水素が供給できなくなるため、中圧バンクによる充填を終了する。
【００８０】
なお、この第二目標圧力についても、この第二目標圧力に替えて、目標圧力上昇率（時間当たりの圧力上昇量）を所定の標準テーブルから算出して、その目標圧力上昇率の変動許容範囲内で、充填タンクの圧力が上昇するか否かを検出して、圧力上昇が鈍化して変動許容範囲を下回るような状態になった場合には、その直前で、中圧バンクによる充填を終了しても良い。
【００８１】
そして、さらにその後、Ｓ１１に移行する。このＳ１１では、高圧バンクと圧縮機２の併用充填が行なわれる。この高圧バンクと圧縮機２の併用充填とは、高圧バンクに蓄圧された水素と、圧縮機２で圧縮された水素を、同時にＦＶＣの充填タンクに充填する方法である。この高圧バンクと圧縮機２の併用充填の詳細についても、後述する。
【００８２】
その後、Ｓ１２で、ＦＣＶの充填タンクの圧力と外気温から決まる第三目標圧力まで高圧バンクで充填する。この第三目標圧力は、高圧バンクの圧力値よりも低い値で設定される。例えば、高圧バンクの圧力値が８２ＭＰａのときに７２ＭＰａに第三目標圧力が設定される。この第三目標圧力まで水素を充填すると、高圧バンクの圧力では、ＦＣＶの充填タンクの圧力と均衡して、水素が供給できなくなるため、高圧バンクによる充填を終了する。
【００８３】
なお、この第三目標圧力についても、この第三目標圧力に替えて、目標圧力上昇率（時間当たりの圧力上昇量）をある標準テーブルから算出して、その目標圧力上昇率の変動許容範囲内で、充填タンクの圧力が、上昇するか否かを検出して、圧力上昇が鈍化して変動許容範囲を下回るような状態になった場合には、その直前で、高圧バンクによる充填を終了しても良い。
【００８４】
その後、Ｓ１３で、最終目標圧まで、圧縮機２で圧縮された水素だけで充填（直充填）を行なう。例えば、これまでの蓄圧タンクの充填によって、ＦＣＶの充填タンクに６８ＭＰａの水素が充填されていた場合には、最終目標圧の７０ＭＰａとなるまで、ＦＣＶの充填タンクに対して、圧縮機２で水素を圧縮供給する。この直充填の詳細についても、後述する。
【００８５】
そして、これら一連の充填が終了すると、Ｓ１４に移行して、ディスペンサー４からＦＣＶを取り外す。これにより１台目のＦＣＶの充填作業は終了する。
【００８６】
その後、この水素ステーションＰの制御方法では、Ｓ１５に移行する。Ｓ１５では、各４つの蓄圧タンク３ａ〜３ｄの役割を順次送る。すなわち、低圧バンクは回復・待機バングに役割が変わり、中圧バングは低圧バンクに役割が変わり、高圧バンクは中圧バンクに役割が変わり、回復・待機バンクは高圧バンクに役割が変わる。このステップがあることで、次のＦＣＶの充填時には、前回の役割と異なる次の役割で、各蓄圧タンク３ａ〜３ｄが使われることになる。このように、ＦＣＶの充填ごとに蓄圧タンク３ａ〜３ｄの役割がローテーションで変わるため、この運転方式を「バンクローテーション」方式というのである。
【００８７】
そして、次にＳ１６では、回復・待機バンクについて昇圧を開始する。この昇圧は前述の圧縮機２で行なう。この回復・待機バンクの昇圧の詳細についても、後述する。
【００８８】
その後、Ｓ１７で、昇圧途中にＦＣＶが来たかを判断する。もし、ＦＣＶが来たら、ＹＥＳとなり、Ｓ１８に移行して圧縮機の昇圧を中断して、Ｓ１に戻り、次のＦＣＶの水素充填に備える。これは、１つの圧縮機２を、回復・待機バンクの昇圧用として用いつつ、ＦＣＶの充填タンクへの水素供給（充填）にもアシスト手段としても用いている（兼用している）ためである。こうして、昇圧の途中に、次のＦＣＶが来たら、回復・待機バンクの昇圧を中断して、ＦＣＶへの水素充填（アシスト手段としての充填）を優先する。
【００８９】
Ｓ１７でＮＯと判断された場合、すなわち昇圧の途中にＦＣＶが来なかった場合には、Ｓ１９に移行して、回復・待機バンクである蓄圧タンク３ａ〜３ｄの最大値である、例えば８２ＭＰａまで昇圧する。
【００９０】
その後、回復・待機バンクの昇圧が終了すると、Ｓ５０のリターンに移行して、制御は終了する。
【００９１】
次に、図３〜図７の概略図で、前述した「低圧バンクと圧縮機の併用充填」と、「中圧バンクと圧縮機の併用充填」と、「高圧バンクと圧縮機の併用充填」と、「圧縮機による直充填」と、「回復・待機バンクの昇圧」について、詳述する。
【００９２】
図３は、バンクローテーション方式の低圧バンク工程（低圧バンクから充填する工程）を示す概略図である。すなわち、左上の表に示すように、複数の蓄圧タンク３ａ〜３ｄのうち低圧バンクを使って、例えば６３ＭＰａから４５ＭＰａまで、水素を充填する工程である。そして、この低圧バンク工程が、「低圧バンクと圧縮機の併用充填」の工程でもある。
【００９３】
この図３に示すように、例えば、蓄圧タンクＡ３ａを低圧バンクとして使用する場合には、蓄圧タンクＡ３ａ内の水素を、ＦＣＶの充填タンク（図示ぜず）へ供給できるように、制御部８（図１参照）から、電磁開閉弁Ａ１０ａへ開放制御信号を送り、電磁開閉弁Ａ１０ａを開放する。また、それと並行して圧縮機２からも水素をＦＣＶの充填タンクへ供給できるように、制御部８から、第一電磁開閉弁６ａと第二電磁開閉弁６ｂへ開放制御信号を送り、第一電磁開閉弁６ａと第二電磁開閉弁６ｂを開放する。
【００９４】
このように制御することで、低圧バンクである蓄圧タンクＡ３ａからは、分岐水素供給ラインＡ９ａとメイン水素供給ライン１２と第三水素供給ライン５ｃを通じて、ディスペンサー４に水素が供給される。また、圧縮機２からも、カードル１の水素が圧縮されて、第一水素供給ライン５ａと第二水素供給ライン５ｂとメイン水素供給ライン１２と第三水素供給ライン５ｃを通じて、ディスペンサー４に供給される（太字が水素の流れているライン）。こうして、低圧バンクと圧縮機２の併用充填が行なわれる。
【００９５】
そして、この低圧バンクと圧縮機２からそれぞれディスペンサー４に供給される水素が、水素供給ホース１３を通じてＦＣＶに供給される。このとき、ＦＣＶの充填タンクの圧力が、例えば２ＭＰａから４０ＭＰａまで上昇するように、水素が充填される。
【００９６】
このように、低圧バンクだけではなく圧縮機２からも水素が供給されることによって、単に低圧バンクからだけ水素を供給される場合よりも早い時間で水素を充填することができる。また、低圧バンクだけでなく、圧縮機２でアシスト的に水素を供給することで、低圧バンクだけで差圧充填するよりも、低圧バンクの下限圧を高めることができる。このことについては、後ほど詳述する。
【００９７】
こうして、低圧バンク工程で低圧バンクと圧縮機２の併用充填が終わると、次に、中圧バンク工程で中圧バンクと圧縮機２の併用充填が開始される。
【００９８】
図４は、バンクローテーション方式の中圧バンク工程（中圧バンクから充填する工程）を示す概略図である。すなわち、左上の表に示すように、複数の蓄圧タンクのうち中圧バンクを使って、例えば７２ＭＰａから６３ＭＰａまで、水素を充填する工程である。そして、この中圧バンク工程が、「中圧バンクと圧縮機の併用充填」の工程でもある。
【００９９】
この図４に示すように、例えば、蓄圧タンクＢ３ｂを中圧バンクとして使用する場合には、蓄圧タンクＢ内の水素を、ＦＣＶの充填タンクへ供給できるように、制御部８（図１参照）から、電磁開閉弁Ｂ１０ｂへ開放制御信号を送り、電磁開閉弁Ｂ１０ｂを開放する。また、それと並行して圧縮機２からも水素をＦＣＶの充填タンクへ供給できるように、制御部８から、第一電磁開閉弁６ａと第二電磁開閉弁６ｂへ開放制御信号を送り、第一電磁開閉弁６ａと第二電磁開閉弁６ｂを開放する。なお、これらの信号に先立って、低圧バンクからの水素供給を停止し、低圧バンク側への水素の流入（逆流）を防ぐため、電磁開閉弁Ａ１０ａに閉鎖信号を送り、電磁開閉弁Ａ１０ａを閉鎖しておく。
【０１００】
このように制御することで、中圧バンクである蓄圧タンクＢ３ｂからは、分岐水素供給ラインＢ９ｂとメイン水素供給ライン１２と第三水素供給ライン５ｃを通じて、ディスペンサー４に水素が供給される。また、圧縮機２からは、カードル１からの水素が圧縮されて、第一水素供給ライン５ａと第二水素供給ライン５ｂとメイン水素供給ライン１２と第三水素供給ライン５ｃを通じて、ディスペンサー４に供給される（図３同様に、太字が水素の流れているライン）。こうして、中圧バンクと圧縮機２の併用充填が行なわれる。
【０１０１】
そして、この中圧バンクと圧縮機２からそれぞれディスペンサー４に供給される水素が、水素供給ホース１３を通じてＦＣＶに供給される。このとき、ＦＣＶの充填タンクの圧力が、例えば４０ＭＰａから５８ＭＰａまで上昇するように、水素が充填される。
【０１０２】
このように、また、中圧バンクだけではなく圧縮機２からも水素が供給されることによって、単に中圧バンクからだけ水素を供給される場合よりも早い時間で水素を充填することができる。また、この場合も、中圧バンクだけでなく、圧縮機２でアシスト的に水素を供給することで、中圧バンクだけで差圧充填するよりも、中圧バンクの下限圧を高めることができる。
【０１０３】
こうして、中圧バンク工程で中圧バンクと圧縮機２の併用充填が終わると、次に、高圧バンク工程で高圧バンクと圧縮機２の併用充填が開始される。
【０１０４】
図５は、バンクローテーション方式の高圧バンク工程（高圧バンクから充填する工程）を示す概略図である。すなわち、左上の表に示すように、複数の蓄圧タンクのうち高圧バンクを使って、例えば８２ＭＰａから７２ＭＰａまで、水素を充填する工程である。そして、この高圧バンク工程が、「高圧バンクと圧縮機の併用充填」の工程でもある。
【０１０５】
この図５に示すように、例えば、蓄圧タンクＣ３ｃを高圧バンクとして使用する場合には、蓄圧タンクＣ内の水素を、ＦＣＶの充填タンクへ供給できるように、制御部８（図１参照）から、電磁開閉弁Ｃ１０ｃへ開放制御信号を送り、電磁開閉弁Ｃ１０ｃを開放する。また、それと並行して圧縮機２からも水素をＦＣＶの充填タンクへ供給できるように、制御部８から、第一電磁開閉弁６ａと第二電磁開閉弁６ｂへ開放制御信号を送り、第一電磁開閉弁６ａと第二電磁開閉弁６ｂを開放する。なお、これらの信号に先立って、中圧バンクからの水素供給を停止し、中圧バンク側への水素の流入（逆流）を防ぐため、電磁開閉弁Ｂ１０ｂに閉鎖信号を送り、電磁開閉弁Ｂ１０ｂを閉鎖しておく。
【０１０６】
このように制御することで、高圧バンクである蓄圧タンクＣ３ｃからは、分岐水素供給ラインＣ９ｃとメイン水素供給ライン１２と第三水素供給ライン５ｃを通じて、ディスペンサー４に水素が供給される。また、圧縮機２からは、カードル１の水素が圧縮されて、第一水素供給ライン５ａと第二水素供給ライン５ｂとメイン水素供給ライン１２と第三水素供給ライン５ｃを通じて、ディスペンサー４に供給される（図３、４同様に、太字が水素の流れているライン）。こうして、高圧バンクと圧縮機２の併用充填が行なわれる。
【０１０７】
そして、この高圧バンクと圧縮機２からそれぞれディスペンサー４に供給される水素が、水素供給ホース１３を通じてＦＣＶに供給される。このとき、ＦＣＶの充填タンクの圧力が、例えば５８ＭＰａから６８ＭＰａまで上昇するように、水素が充填される。
【０１０８】
このように、また、高圧バンクだけではなく圧縮機２からも水素が供給されることによって、単に高圧バンクからだけ水素を供給される場合よりも早い時間で水素を充填することができる。また、この場合も、高圧バンクだけでなく、圧縮機２でアシスト的に水素を供給することで、高圧バンクだけで差圧充填するよりも、高圧バンクの下限圧を高めることができる。
【０１０９】
こうして、高圧バンク工程で高圧バンクと圧縮機２の併用充填が終わると、次に、圧縮機２だけの充填、すなわち、直充填工程が開始される。
【０１１０】
図６は、バンクローテーション方式の直充填工程（圧縮機２だけの充填工程）を示す概略図である。すなわち、左上の表に示すように、蓄圧タンクからは充填せず、圧縮機だけで水素を充填する工程である。この工程が「圧縮機による直充填」の工程でもある。
【０１１１】
この図６に示すように、例えば、圧縮機２だけで水素を充填する場合には、圧縮機２から水素をＦＣＶの充填タンクへ供給できるように、制御部８（図１参照）から、第一電磁開閉弁６ａと第二電磁開閉弁６ｂへ開放制御信号を送り、第一電磁開閉弁６ａと第二電磁開閉弁６ｂを開放する。なお、これらの信号に先立って、高圧バンクからの水素供給を停止し、高圧バンク側への水素の流入（逆流）を防ぐため、電磁開閉弁Ｃ１０ｃに閉鎖信号を送り、電磁開閉弁Ｃ１０ｃを閉鎖しておく。
【０１１２】
このように制御することで、蓄圧タンク３ａ〜３ｄからは、ディスペンサー４に対して全く水素が供給されない一方、圧縮機２からは、カードル１の水素が圧縮されて、第一水素供給ライン５ａと第二水素供給ライン５ｂとメイン水素供給ライン１２と第三水素供給ライン５ｃを通じて、ディスペンサー４に供給される（図３、４、５同様に、太字が水素の流れているライン）。
【０１１３】
そして、この圧縮機２からディスペンサー４に供給される水素が、水素供給ホース１３を通じてＦＣＶに供給される。このとき、ＦＣＶの充填タンクの圧力が、例えば６８ＭＰａから７０ＭＰａまで上昇するように、水素が充填される。
【０１１４】
このように、圧縮機２からだけで水素が充填される直充填モードを有することによって、最高圧力値の値が高い高価な蓄圧タンクを準備しなくても、ＦＣＶの充填タンクを確実に満タンにすることができる。
【０１１５】
こうして、直充填工程でＦＣＶの充填タンクが満タンになると、ＦＣＶへの水素充填の作業が終了する。そしてその後、昇圧回復工程で、回復・待機バンクの昇圧が開始される。
【０１１６】
図７は、バンクローテーション方式の昇圧回復工程（圧縮機で回復・待機バンクを昇圧する工程）を示す概略図である。すなわち、左上の表に示すように、回復・待機バンクを昇圧することで、例えば、回復・待機バンクが４５ＭＰａから８２ＭＰａに昇圧するように、水素を供給する工程である。
【０１１７】
なお、図７においては、図６等と異なり、蓄圧タンクＡが、低圧バンクから回復・待機バンクに変更されている。このように役割が変更されたのは、ＦＣＶ一台を充填したことで、各蓄圧タンクの役割が、ローテーションで変わったためである（図２のＳ１５参照）。そして、この工程が「回復・待機バンクの昇圧」の工程である。
【０１１８】
この図７に示すように、回復・待機バンクを昇圧する場合には、圧縮機２で昇圧した水素を回復・待機バンクに供給できるように、制御部８（図１参照）から、第一電磁開閉弁６ａと第二電磁開閉弁６ｂへ開放制御信号を送り、第一電磁開閉弁６ａと第二電磁開閉弁６ｂを開放する。また、電磁開閉弁Ａ１０ａへ開放信号を送り、電磁開閉弁Ａ１０ａも開放する。なお、それらの信号に先立って、ディスペンサー４には、図示しない開閉弁を閉鎖する閉鎖信号を送り、ディスペンサー４側に水素が流れ込まないように制御する。
【０１１９】
このように制御することで、蓄圧タンクＡ３ａの回復・待機タンクには、圧縮機２で昇圧された水素が、第一水素供給ライン５ａと第二水素供給ライン５ｂとメイン水素供給ライン１２、さらに、分岐水素供給ラインＡ９ａを通じて供給される（他の図同様に、太字が水素の流れているライン）。
【０１２０】
こうすることで、蓄圧タンクＡ３ａには、高圧の水素を充填することができ、前回のＦＣＶへの水素充填で低下した圧力を高圧に昇圧することができる。
【０１２１】
こうして、蓄圧タンクＡ３ａの回復・待機タンクを昇圧することによって、次回のＦＶＣの充填時には蓄圧タンクＡ３ａに高圧タンクとして役割を持たせることができる。
【０１２２】
以上の流れによって、一連のバンクローテーション方式の各工程が終了する。
【０１２３】
図８に、このバンクローテーション方式でＦＣＶごとに蓄圧タンクの役割が変化することを現す表を示す。
【０１２４】
この表の見方を説明すると、縦軸が水素の供給源である各蓄圧タンクと圧縮機を示し、横軸が水素を充填するＦＣＶの各順番の台数を示している。また、各マス目内に記載される数値は、各蓄圧タンクの圧力変化を示したものであり、カッコ内に記載される数値は、各工程におけるＦＣＶ側の充填タンクの圧力変化を示したものである。
【０１２５】
まず、１台目のＦＣＶ時では、蓄圧タンクＡ３ａが、充填順が１番目の低圧バンクとして機能し、蓄圧タンクＢ３ｂが、充填順が２番目の中圧バンクとして機能し、蓄圧タンクＣ３ｄが、充填順が３番目の高圧バンクとして機能し、さらに、圧縮機２が、充填順が４番目の直充填する手段として機能する。なお、この１台目のＦＣＶ時には、蓄圧タンクＤ３ｄは、回復・待機バンクとしてＦＣＶの充填には関与しない。
【０１２６】
そして、１台目のＦＣＶと２台目のＦＣＶの間には、低圧バンクだった蓄圧タンクＡ３ａを昇圧するため、蓄圧タンクＡ３ａに対して圧縮水素を供給して昇圧する工程が行われる。なお、この昇圧は圧縮機２で行われる。
【０１２７】
次に、２台目のＦＣＶ時では、蓄圧タンクＢ３ｂが、充填順が１番目の低圧バンクとして機能し、蓄圧タンクＣ３ｃが、充填順が２番目の中圧バンクとして機能し、蓄圧タンクＤ３ｄが、充填順が３番目の高圧バンクとして機能し、さらに、圧縮機２が、充填順が４番目の直充填する手段として機能する。なお、この２台目のＦＣＶ時には、蓄圧タンクＡ３ａは、回復・待機バンクとしてＦＣＶの充填には関与しない。
【０１２８】
そして、２台目のＦＣＶと３台目のＦＣＶの間には、低圧バンクだった蓄圧タンクＢ３ｂを昇圧するため、蓄圧タンクＢ３ｂに対して圧縮水素を供給して昇圧する工程が行われる。なお、この昇圧も圧縮機２で行われる。
【０１２９】
また、３台目のＦＣＶ時には、蓄圧タンクＣ３ｃが、充填順が１番目の低圧バンクとして機能し、蓄圧タンクＤ３ｄが、充填順が２番目の中圧バンクとして機能し、蓄圧タンクＡ３ａが、充填順が３番目の高圧バンクとして機能し、さらに、圧縮機２が、充填順が４番目の直充填する手段として機能する。なお、この３台目のＦＣＶ時には、蓄圧タンクＢ３ｂは、回復・待機バンクとしてＦＣＶの充填には関与しない。
【０１３０】
そして、３台目のＦＣＶと４台目のＦＣＶの間には、低圧バンクだった蓄圧タンクＣ３ｃを昇圧するため、蓄圧タンクＣ３ｃに対して圧縮水素を供給して昇圧する工程が行われる。なお、この昇圧も圧縮機２で行われる。
【０１３１】
最後、４台目のＦＣＶ時には、蓄圧タンクＤ３ｄが、充填順が１番目の低圧バンクとして機能し、蓄圧タンクＡ３ａが、充填順が２番目の中圧バンクとして機能し、蓄圧タンクＢ３ｂが、充填順が３番目の高圧バンクとして機能し、さらに、圧縮機２が、充填順が４番目の直充填する手段として機能する。なお、この４台目のＦＣＶ時には、蓄圧タンクＣ３ｃは、回復・待機バンクとしてＦＣＶの充填には関与しない。
【０１３２】
そして、図示しないが、４台目のＦＣＶと５台目のＦＣＶの間には、低圧バンクだった蓄圧タンクＤ３ｄを昇圧するため、蓄圧タンクＤ３ｄに対して圧縮水素を供給して昇圧する工程が行われる。なお、この昇圧も圧縮機２で行われる。
【０１３３】
このように、バンクローテーション方式によると、ＦＣＶの各台ごとで蓄圧タンク３ａ〜３ｄの役割が順番に変わって行き、蓄圧タンク３ａ〜３ｄの昇圧回数については、ＦＣＶ４台を充填する間に１回しか行わないことが分かる。すなわち、蓄圧タンク３ａ〜３ｄの役割が順番に１台ごとに変わって行き、４台充填する間に１回しか昇圧を行わないのである。
【０１３４】
このことを、さらに図９を使って詳細に説明する。この図は、各バンクの圧力変化を、縦軸を圧力値、横軸を時間として表したものである。この図において、従来方式では、実線が１つ目の蓄圧タンク、点線が２つ目の蓄圧タンク、１点鎖線が３つ目の蓄圧タンクの圧力変化を示したもので、細線がＦＣＶの圧力変化を示したものである。一方、バンクローテーション方式では、実線が蓄圧タンクＡ３ａ、点線が蓄圧タンクＢ３ｂ、１点鎖線が蓄圧タンクＣ３ｃ、破線が蓄圧タンクＤ３ｄの圧力変化をそれぞれ示したもので、細線がＦＣＶの充填タンクの圧力変化を示したものである。
【０１３５】
まず、従来方式では、例えば、３つの蓄圧タンクを備える場合、通常３つの蓄圧タンクは、全て最大圧力まで充填されているため、最初に、全ての蓄圧タンクの圧力値は最大となっている。
【０１３６】
そして、まず、１台目のＦＣＶに対して充填が始まると、１つ目の蓄圧タンクから水素の充填が開始され、ＦＣＶの充填タンクの圧力とほぼ均衡するまで充填が行なわれる。これは、水素の充填が「差圧充填」で行われるため、圧力が均衡した時点でそれ以上の圧力を充填することができないためである。
【０１３７】
次に、２つ目の蓄圧タンクから水素の充填が行なわれる。この２つ目の蓄圧タンクについても、ＦＣＶの充填タンクの圧力と蓄圧タンクの圧力が均衡した時点で充填が終了する。そして、最後に、３つ目の蓄圧タンクから水素が充填されて、ＦＣＶの充填タンクの圧力と蓄圧タンクの圧力が最終的に均衡するとＦＣＶの充填が終了する。
【０１３８】
充填終了後には、次の２台目のＦＣＶの充填に備えて、各蓄圧タンクに対して昇圧が行なわれる。具体的には、初めに３つ目に充填した蓄圧タンクから昇圧されて、次に２つ目に充填した蓄圧タンク、最後に１つ目に充填した蓄圧タンクが昇圧される。こうして、全ての蓄圧タンクが最大圧力まで昇圧される。
【０１３９】
このように、従来方式によると、１台充填するごとに全ての蓄圧タンクを昇圧するため、１回の供給回で１回の蓄圧（昇圧）が必要となり（黒い矢印と白い矢印参照）、耐久性に関連する「蓄圧サイクルの総数」が増加する。このため、蓄圧タンクの交換頻度が必然的に増加することになる。
【０１４０】
これに対して、本実施形態で採用しているバンクローテーション方式の場合には、１台目のＦＣＶに対して、最初に低圧バンクとなった蓄圧タンクＡ３ａから充填が開始され、その後、中圧バンクとなった蓄圧タンクＢ３ｂ、高圧バンクとなった蓄圧タンクＣ３ｃ、という順番で充填が行なわれる。
【０１４１】
もちろん、ＦＣＶの充填タンクの圧力と均衡した圧力で、各蓄圧タンク３ａ〜３ｄの充填が終了するが、各蓄圧タンク３ａ〜３ｄの初期の圧力値が異なるため、ＦＣＶの充填タンクの圧力と均衡する値（下限値）も各蓄圧タンク３ａ〜３ｄで異なる。このため、低圧バンク、中圧バンク、高圧バンクという順番に蓄圧すれば、最適な状態で、ＦＣＶを充填して行くことができる。こうして、１台目のＦＣＶは、各役割を持った複数の蓄圧タンク３ａ〜３ｄによって順番に充填が行なわれることになる。
【０１４２】
そして、１台目のＦＣＶの充填が終わると、低圧バンクだった蓄圧タンクＡ３ａが、ローテーションによって、回復・待機バンクに切り替わり（Ｓ１５参照）、次のＦＣＶの充填に備えて、昇圧されることになる。この昇圧によって、蓄圧タンクＡ３ａの圧力は最大圧力まで充填される。
【０１４３】
また、２台目以降のＦＶＣの充填については、各蓄圧タンク３ａ〜３ｄがそれぞれ役割を順番に変えながらＦＣＶの充填を行なうように構成されている。
【０１４４】
こうした中で、破線で示す蓄圧タンクＤ３ｄの圧力変化を見てみると、１台目のＦＣＶの時には、回復・待機バンクなので圧力変化はなく（黒い矢印参照）、２台目のＦＣＶの時には、高圧バンクとして高圧域で充填を行ない（黒い矢印参照）、３台目のＦＣＶの時には、中圧バンクとして中圧域で充填を行ない（黒い矢印参照）、４台目のＦＣＶの時には、低圧バンクとして低圧域で充填を行ない（黒い矢印参照）、その後、回復・待機バンクとして、蓄圧タンクＤ３ｄだけが昇圧される（白い矢印参照）。
【０１４５】
この蓄圧タンクＤ３ｄのように、こうしたバンクローテーション方式によると、１つの蓄圧タンクだけで見てみると、４台のＦＣＶを充填する間に１回だけしか蓄圧しないため、蓄圧サイクルの総数を少なくできる。このため、従来方式と異なり、蓄圧タンクの交換回数を少なくすることができる。
【０１４６】
すなわち、バンクローテーション方式によると、蓄圧タンク３ａ〜３ｄの蓄圧する回数を少なくすることができるため、蓄圧サイクルの総数を低下させることができる。このため、蓄圧タンク３ａ〜３ｄの交換費用を削減でき、水素ステーションＰの管理維持費用を削減することができるのである。
【０１４７】
もっとも、単にバンクローテーション方式で、水素ステーションを運転しても、蓄圧タンク３ａ〜３ｄの耐久性を向上するには十分ではない。そこで、本実施形態では、さらに圧縮機による充填アシストを行なうことで、この耐久性を向上するようにしている。このことについて、図１０を使って詳細に説明する。
【０１４８】
図１０は、従来方式と、バンクローテーション方式と、それと本実施形態のバンクローテーション方式+アシスト方式の圧力変化を示した図である。図９同様に、縦軸を圧力値、横軸を時間として表したものである。
【０１４９】
この図に示すように、まず、従来方式の場合は、ＦＣＶに対して水素を充填するときには、１つ目の蓄圧タンクに大きな圧力変化が生じ、最大圧力から最小圧力まで一気に圧力低下が生じて、その後、昇圧することで、最小圧力から最大圧力まで圧力が一気に上昇する。そして、この蓄圧タンクの圧力変動の幅ＰＷ１は、例えば、８２Ｍｐａから６０ＭＰａの幅となる。
【０１５０】
このときの最小圧力値（６０Ｍｐａ）は、差圧充填で充填を行なうことから、蓄圧タンクの充填開始時の圧力値によって決まるが、従来方式の場合、初期圧力が、最大圧力（８２Ｍｐａ）であるため、比較的高い圧力値（６０ＭＰａ）に維持されることになる。
【０１５１】
これに対して、バンクローテーション方式の場合は、低圧バンクの役割をもった蓄圧タンクの充填終了時の圧力が、最小圧力値になるため、蓄圧タンクの圧力変動の幅ＰＷ２は、例えば、８２ＭＰａから４０ＭＰａの幅となる。
【０１５２】
これは、低圧バンクの蓄圧タンクの充填開始時の圧力値が、従来方式に比べて、低いものになるため（例えば、８２Ｍｐａに対して６３ＭＰａ）、どうしても、最小圧力値（４０ＭＰａ）が低くなってしまい、蓄圧タンクの圧力変動の幅ＰＷ２が大きくなってしまうのである。
【０１５３】
しかし、このように、圧力変動の幅が大きくなると、蓄圧タンクに対する負荷変動が大きくなってしまうため、蓄圧タンク自身に大きな負荷が生じてしまい、折角、蓄圧サイクルの総数を少なくすることができても、蓄圧タンクの耐久性を悪化させてしまうおそれがある。言い換えると、蓄圧タンクのいわゆるＳ−Ｎ線図の繰り返し回数の回数を低下させてしまう可能性があるのである。
【０１５４】
そこで、本実施形態では、バンクローテーション方式+アシスト方式とすることで、この問題を解決している。すなわち、低圧バンクの蓄圧タンク３によって、ＦＣＶを充填する際に、同時に圧縮機２でも水素も供給することにより、差圧充填で決まる最小圧力値（４０ＭＰａ）を、上昇させているのである。
【０１５５】
要は、低圧バンクの蓄圧タンク３ａ〜３ｄだけでなく、圧縮機２からも水素も供給することで、多くの水素でＦＣＶの充填タンクを充填することで、差圧充填によって均衡する圧力値を高くして、最小圧力値を上昇させているのである。
【０１５６】
具体的には、最小圧力値は、例えば、４５ＭＰａ程度にすることができるため、蓄圧タンク３ａ〜３ｄの圧力変動の幅ＰＷ３は、例えば、８２Ｍｐａから４５ＭＰａの幅となる。この値は、従来方式と比較すると大きな値であるが、通常のバンクローテーション方式に比べると、最小圧力値が上昇している分、小さな値にすることができる。
【０１５７】
こうして、本実施形態によると、バンクローテーション方式によって、蓄圧タンクの圧力変動の幅が比較的大きくなったとしても、圧縮機２で圧縮した水素を供給（アシスト）することによって、低圧バンクの蓄圧タンク３の最小圧力値を、上昇させることができるため、圧力変動の幅ＰＷ３を小さくすることができる。
【０１５８】
このため、バンクローテーション方式であっても、圧縮機２からも水素を供給して、アシストすることにより、圧力変動の幅を小さなものにして、蓄圧タンク３ａ〜３ｄに係る負荷を軽減して、バンクローテーション方式の蓄圧サイクルの総数の減少というメリットを活かして、蓄圧タンク３ａ〜３ｄの耐久性を向上することができる。
【０１５９】
よって、本実施形態によると、バンクローテーション方式で運転される水素ステーションＰ、及びその水素ステーションＰの運転方法に関し、低圧バンクの蓄圧タンク３ａ〜３ｄの充填終了時の圧力値（最小圧力値）ができるだけ低くなることを防いで、蓄圧タンク３ａ〜３ｄの交換回数を少なくするという目標を確実に達成することができるという効果を得ることができる。
【０１６０】
また、本実施形態では、バンクローテーション方式で各蓄圧タンク３ａ〜３ｄで充填した後、さらにＦＣＶに対して、圧縮機２からだけで水素を供給するように（直充填）制御している。
【０１６１】
これによれば、各蓄圧タンク３ａ〜３ｄからの水素の供給が終了した後も、圧縮機からの水素が供給されるため、蓄圧タンク３ａ〜３ｄの最大圧力値をさほど高めなくても、ＦＣＶに対して高い圧力で水素を供給できる。
【０１６２】
このため、各蓄圧タンク３ａ〜３ｄの最大圧力値を高くする必要がなく、蓄圧タンク３ａ〜３ｄの圧力変動の幅（圧力振幅）を小さくすることができる。
【０１６３】
よって、蓄圧タンク３ａ〜３ｄの圧力変動の幅（圧力振幅）をより小さくすることができ、蓄圧タンク３ａ〜３ｄの負担をさらに小さくすることができ、蓄圧タンク３ａ〜３ｄの耐久性を高めることができる。
【０１６４】
また、蓄圧タンク３ａ〜３ｄの最大圧力値が高くなくても良いため、蓄圧タンク３ａ〜３ｄの単価も比較的安価にすることができるため、蓄圧タンク３ａ〜３ｄを交換する場合でも設備管理費用を抑えることができる。
【０１６５】
また、本実施形態では、一つの圧縮機２で、蓄圧タンク３ａ〜３ｄを昇圧する機能と、蓄圧タンク３ａ〜３ｄの水素供給（ＦＣＶの充填作業）をアシストする機能とを有するように構成している。
【０１６６】
これによれば、蓄圧タンク３ａ〜３ｄの昇圧機能と、ＦＣＶへの充填アシスト機能を一つの圧縮機で兼用しているため、別々に設定するよりも、設備コストを削減できる。
【０１６７】
よって、本実施形態によると、水素ステーションＰを設置維持管理する際のコストをさらに低減することができる。
【０１６８】
（その他の実施形態）
次に、その他の実施形態について説明する。
【０１６９】
まず、蓄圧タンクについては、４つでなくとも、３つで構成しても良い。この場合、例えば、低圧バンク、高圧バンク、回復・待機バンクとして、役割をローテーションしてもよい。また、蓄圧タンクを５つで構成しても良い。この場合、例えば、低圧バンク、中低圧バンク、中高圧バンク、高圧バンク、回復・待機バンクとして、役割をローテーションしても良い。さらに、同様に、６つ、７つと増やしても構わない。
【０１７０】
さらに、圧縮機２についても、アシスト制御を行なう圧縮機と、蓄圧タンクの昇圧を行なう圧縮機を別々に設定しても良い。このように圧縮機を別々に設定した場合には、蓄圧タンクを昇圧している途中に、ＦＣＶに充填する必要が生じた場合でも、蓄圧タンクの昇圧を止める必要がなくなる。また、このように、アシスト制御を行なう圧縮機と、蓄圧タンクの昇圧を行なう圧縮機を別々に設定した場合には、それぞれの圧縮圧力や運転状況に合わせた圧縮機を設定することが可能となるため、水素ステーションのとしての性能もより高めることもできる。
【０１７１】
また、本実施形態１は、バンクローテーション方式の水素ステーションを説明したが、このバンクローテーション方式の運転状態が一つの運転モードとして使われる水素ステーションで使用されるように構成しても良い。
【０１７２】
その他、発明の趣旨を逸脱しない限りにおいて、構造を変更、又は追加しても良い。
【産業上の利用可能性】
【０１７３】
以上説明したように、本発明にかかる水素ステーション、及びその水素ステーションの運転方法は、例えば、複数の蓄圧タンクを備えて、いわゆるバンクローテーション方式と言われる運転状態で運転される、水素ステーション、及びその水素ステーションの運転方法において有用である。
【符号の説明】
【０１７４】
Ｔ…水素ステーション
２…圧縮機
３…蓄圧タンク
３ａ…蓄圧タンクＡ
３ｂ…蓄圧タンクＢ
３ｃ…蓄圧タンクＣ
３ｄ…蓄圧タンクＤ
４…ディスペンサー
【図１】
2020101255.tif 000003
【図２】
2020101255.tif 000004
【図３】
2020101255.tif 000005
【図４】
2020101255.tif 000006
【図５】
2020101255.tif 000007
【図６】
2020101255.tif 000008
【図７】
2020101255.tif 000009
【図８】
2020101255.tif 000010
【図９】
2020101255.tif 000011
【図１０】
2020101255.tif 000012